(57)【要約】【課題】作業の省力化、軽減、作業空間の極小化及び切断した被覆電線の落下を防止して安全性の向上を図ることができる電線切断工具を提供する。【解決手段】外部からの手動操作棒２７又は回転動力源と接続する連結軸７を有する連結部と、連結軸７の先端から延びる伝達軸を介して上下摺動させるボールねじを有する摺動部３と、該摺動部３の上端に設置されたホルダー１２と、前記伝達軸とリンクピンで軸支されたリンク１４と、該リンク１４と刃支点ピン１７で軸支された一対の刃１５，１６とを有するものであって、前記一方の刃１６は前記ホルダー１２とホルダーピン１３とで軸支され、前記ホルダー１２の上下摺動によりリンク機構が作用し、前記連結軸７及び伝達軸の軸に対して垂直方向に設置された被覆電線を上記一対の刃１５，１６で切断する。【選択図】図２
2004121585.tif 000002
【特許請求の範囲】
【請求項１】
配電線工事において電柱に架設されている被覆電線の切断と、被覆電線相互の接続箇所における余長部の切断及び地上における被覆電線の切断のための電線切断工具において、
外部からの手動操作棒又は回転動力源と接続する連結軸を有する連結部と、連結軸の先端から延びる伝達軸を介して上下摺動させるボールねじを有する摺動部と、該摺動部の上端に設置されたホルダーと、前記伝達軸とリンクピンで軸支されたリンクと、該リンクと刃支点ピンで軸支された一対の刃とを有するものであって、
前記一方の刃は前記ホルダーとホルダーピンとで軸支され、前記ホルダーの上下摺動によりリンク機構が作用し、前記連結軸及び伝達軸の軸に対して垂直方向に設置された被覆電線を上記一対の刃で切断することを特徴とする電線切断工具。
【請求項２】
電線切断工具本体には外部から手動または回転動力源からの過大な力の入力時又は切断する被覆電線導体の材質が硬い時に過大な動力の伝達を防止するために摩擦機構による定トルクリミッターを連結部に備えたことを特徴とする請求項１に記載の電線切断工具。
【請求項３】
被覆電線の切断時において固定されていない側又は余長側の切断された被覆電線を把持する一対の把持機構を備えることを特徴とする請求項１又は２に記載の電線切断工具。
【発明の詳細な説明】
【０００１】
【発明の属する技術分野】
本発明は、配電線工事において電柱に架設されている被覆電線の切断、被覆電線相互の接続個所において、余長部の切断、地上における被覆電線の切断を容易にするための被覆電線を切断する電線切断工具に関するものである。
【０００２】
【従来の技術】
従来より電線切断工具は、電柱に架設する被覆電線の吊架状態での切断や、電線相互の接続のための余長部の切断に用いられ、その後に接続部品が取付けられている。この切断作業に使用する電線切断工具には、一般的に市販されている手動の電線切断工具やクリッパー或いは電気または油圧動力源に接続して操作する電線切断工具等様々なものがあり、地上または電柱等の柱上における当該切断箇所において切断作業を行っていた。
【０００３】
また、近年配電線工事において無停電化に伴う間接活線作業が進められ、電柱に架設する被覆電線を吊架状態で切断する場合や電線相互の接続のため余長部を切断し接続する場合等では隣接する被覆電線に電気を通した状態で作業を行うことが多い。そのための電線切断工具を本出願人も開発している（特許文献１参照。）。この発明によって電気的保安距離の確保と切断点の確認ができるようになった。
【０００４】
【特許文献１】
特開平８−１６３７２８号公報
【０００５】
【発明が解決しようとする課題】
しかしながら、社会的要求から上記被覆電線の切断作業において、作業の省力化、軽減、被覆電線の落下防止ができること等が必要とされ、作業の安全性を高めつつ作業空間を極小化した被覆電線の切断工具の開発が要望されている。
【０００６】
本発明は上記点に鑑み、電柱等の柱上または地上のいずれにおいても当該箇所の切断作業が実施でき、作業の省力化、軽減、作業空間の極小化及び切断した被覆電線の落下を防止して安全性の向上を図ることができる電線切断工具を提供することを目的とする。
【０００７】
【課題を解決するための手段】
請求項１の発明は、配電線工事において電柱に架設されている被覆電線の切断と、被覆電線相互の接続箇所における余長部の切断及び地上における被覆電線の切断のための電線切断工具において、
外部からの手動操作棒又は回転動力源と接続する連結軸を有する連結部と、連結軸の先端から延びる伝達軸を介して上下摺動させるボールねじを有する摺動部と、該摺動部の上端に設置されたホルダーと、前記伝達軸とリンクピンで軸支されたリンクと、該リンクと刃支点ピンで軸支された一対の刃とを有するものであって、
前記一方の刃は前記ホルダーとホルダーピンで軸支され、前記ホルダーの上下摺動によりリンク機構が作用し、前記連結軸及び伝達軸の軸に対して垂直方向に設置された被覆電線を上記一対の刃で切断することに特徴を有する。
【０００８】
請求項２の発明は、電線切断工具本体には外部から手動または回転動力源からの過大な力の入力時又は切断する被覆電線導体の材質が硬い時に過大な動力の伝達を防止するために摩擦機構による定トルクリミッターを連結部に備えたことに特徴を有する。
【０００９】
請求項３の発明は、被覆電線の切断時において固定されていない側又は余長側の切断された被覆電線を把持する一対の把持機構を備えることに特徴を有する。
【００１０】
【発明の実施の形態】
次に、本発明の実施形態を図面に基づいて説明する。図１は本発明に係る電線切断工具を示す正面図である。また、図２は電線切断工具の右側面と、手動連結棒を示す説明図である。図３は電線切断工具の右側面部分断面図である。
【００１１】
電線切断工具１の下端には手動操作棒を挿入して接続できる連結金具８が設けられており、手動操作棒２７の回転動力は連結軸７に伝達され軸回りに回転することになるのである。
【００１２】
そして、手動操作棒２７から過大な力が入力された場合や切断する被覆電線の材質が硬い場合には過大な切断出力が必要なるものであるが、これによって電線切断工具１自体や刃の破損を防止するため、過大な力が伝達されないように摩擦機構による定トルクリミッター９を連結軸７の回転力を伝達軸１０に伝達する伝達部７ａに設けている。
【００１３】
そして、通常の力で連結軸７を回転させることによって伝達軸１０が回転し、この伝達軸１０に螺合するボールねじ１１が上下移動するのである。尚、伝達軸１０とボールねじ１１とは一般的な三角形状又は台形状のねじ山が形成されているものであり、所謂滑り摩擦ではなく、伝達軸１０とボールねじ１１との間に球状のボールを有した転がり摩擦方式を採用している。また、ねじピッチは一般のピッチより長いピッチで形成してあり、伝達軸１０は低回転力、少回転数によってボールねじ１１を上下方向に摺動させて被覆電線を切断しているのである。
【００１４】
次に、ボールねじ１１からなる摺動部３の上面には一対のホルダー１２が設置され、このホルダー１２の先端にはホルダーピン１３に挿通された刃１６を挿通し、挿通部の上下移動により刃支点ピン１７を軸芯に開閉移動即ち、刃１５との開閉をすることにより一対の刃先で被覆電線を切断できることになる。
【００１５】
摺動部３の上面には一対のリンクピン１９に遊通された一対のリンク１４が設置されている。このリンク１４の上部には刃支点ピン１７を一対の刃１５と刃１６の開閉軸芯に挿通している。
【００１６】
したがって、前述した摺動部３及びホルダー１２の上下移動により刃１５と刃１６の開閉に際して、一対の刃先で被覆電線を切断できる軽量化のためのリンク機構部４を設けると共に、切断力低減のために刃支点ピン１７と刃先１８との距離よりも刃支点ピン１７とホルダーピン１３の距離を長くしてある。
【００１７】
刃１５と刃１６の各々の側面にはクランプガイド２０を設置し、このクランプガイド２０の貫通孔を摺動するクランプ２２を設置している。このクランプ２２はスプリング２１によって開放状態となる方向に付勢されている。
【００１８】
このクランプ２２とクランプガイド２０とからなる電線把持部６は、刃１５と刃１６との開閉と同時に被覆電線の外径に対応してスプリング２１が収縮してクランプ２２が被覆電線を把持し、切断後に被覆電線が外れないようにしているのである。
【００１９】
図４は、電線切断工具の一対の刃を閉じた状態を示す右側面図である。
【００２０】
電線切断工具の連結軸７を回転させ、摺動部３及びホルダー１２を下降させた状態、即ち一対の刃１５と刃１６との側面に設置された一対のクランプ２２を閉じた状態を示している。
【００２１】
図５及び図６は電線切断工具本体に被覆電線を挿入した後、この被覆電線を切断して一対の電線把持部６に被覆電線が把持固定された状態を示す正面図及び右側面図である。この図に示すように予め余長部側が電線把持部６側にくるようにして電線を挟んで切断するのである。
【００２２】
図７は電線切断工具の刃部の形状を示す半断面の正面図、図８は電線切断工具の刃部の右側面図、図９は電線切断工具で切断された被覆電線の切断面の斜視図である。
【００２３】
図７の斜線部は、図８に示す刃１６のＡ−Ａ切断部の形状を示しており、先端には平坦部２３を設け、切断角２４を鋭角にし、逃げ２５を設けることによって、被覆電線の硬い材質に対応できるようにすると共に図９に示すの電線のＢとＣの差を極力少なくするようにして、切断後の断面も略円形状となるようにしている。
【００２４】
尚、本発明の趣旨を逸脱しない範囲において、種々の実施形態をとるこができることは言うまでもない。上記実施形態では手動操作棒２７を連結軸７に連結する構成としているがこれに限定されるものではなく、電動式の回転工具と連結軸７とを連結することもできるものである。また、上述の電線切断工具の摺動部３及びリンク機構部４を絶縁カバー２６で覆うことによって電線切断作業を安全に行うことができるものである。
【００２５】
【発明の効果】
請求項１の発明は、後述する実施の形態の説明中使用する符号を付して説明すると、配電線工事において電柱に架設されている被覆電線の切断と、被覆電線相互の接続箇所における余長部の切断及び地上における被覆電線の切断のための電線切断工具において、
外部からの手動操作棒又は回転動力源と接続する連結軸を有する連結部と、連結軸の先端から延びる伝達軸を介して上下摺動させるボールねじを有する摺動部と、該摺動部の上端に設置されたホルダーと、前記伝達軸とリンクピンで軸支されたリンクと、該リンクと刃支点ピンで軸支された一対の刃とを有するものであって、
前記一方の刃は前記ホルダーとホルダーピンで軸支され、前記ホルダーの上下摺動によりリンク機構が作用し、前記連結軸及び伝達軸の軸に対して垂直方向に設置された被覆電線を上記一対の刃で切断することに特徴を有するので、作業点の確認と、被覆電線への仮吊架を容易に実施することができる。
【００２６】
請求項２の発明は、電線切断工具本体には外部から手動または回転動力源からの過大な力の入力時又は切断する被覆電線導体の材質が硬い時に過大な動力の伝達を防止するために摩擦機構による定トルクリミッターを連結部に備えたことに特徴を有するので、電線切断工具本体や、刃の破損を防止することができる。
【００２７】
請求項３の発明は、被覆電線の切断時において固定されていない側又は余長側の切断された被覆電線を把持する一対の把持機構を備えることに特徴を有するので、被覆電線の落下を防止することができ、電柱等の柱上での作業の安全性を高めることができる。
【図面の簡単な説明】
【図１】本発明に係る電線切断工具を示す正面図である。
【図２】電線切断工具の右側面と、手動連結棒を示す説明図である。
【図３】電線切断工具の右側面及び一部断面を含む説明図である。
【図４】電線切断工具の一対の刃を閉じた状態の右側面を示す説明図である。
【図５】電線切断工具に被覆電線を把持固定した状態を示す正面図である。
【図６】電線切断工具に被覆電線を把持固定した状態を示す右側面図である。
【図７】電線切断工具の刃の形状の一部断面を含む正面図である。
【図８】電線切断工具の刃の右側面図である。
【図９】電線切断工具で切断された被覆電線の切断面を示す斜視図である。
【符号の説明】
１　電線切断工具
２　連結部
３　摺動部
４　リンク機構部
５　刃部
６　電線把持
７　連結軸
８　連結金具
９　トルクリミッター
１０　伝達軸
１１　ボールねじ
１２　ホルダー
１３　ホルダーピン
１４　リンク
１５，１６　刃
１７　刃支点ピン
１８　刃先
１９　リンクピン
２０　クランプガイド
２１　スプリング
２２　クランプ
２３　平坦部
２４　切断角
２５　逃げ部
２６　絶縁カバー
２７　手動操作棒
２８　被覆電線
２９　電線（導体）
【図１】
2004121585.tif 000003
【図２】
2004121585.tif 000004
【図３】
2004121585.tif 000005
【図４】
2004121585.tif 000006
【図５】
2004121585.tif 000007
【図６】
2004121585.tif 000008
【図７】
2004121585.tif 000009
【図８】
2004121585.tif 000010
【図９】
2004121585.tif 000011